(57)【要約】【課題】  軽量化かつ構造強度を高め、かつ、運搬作業及び設置作業を容易にする架台を提供する。【解決手段】  函体を固定支持する架台１を、複数のアルミニウム合金製形材を連結した複数のトラス構造体によって構成する。すなわち、対向する短側トラス構造体２０と、短側トラス構造体２０の端部同士を連結する長側トラス構造体３０と、対向する長側トラス構造体を連結する繋ぎトラス構造体５０とを矩形枠状に連結して構成する。【選択図】    図２
2007064344.tif 000002
【特許請求の範囲】
【請求項１】
函体を固定支持するための架台であって、
複数のアルミニウム合金製形材を連結した複数のトラス構造体からなり、
対向する短側トラス構造体と、上記短側トラス構造体の端部同士を連結する長側トラス構造体と、対向する上記長側トラス構造体を連結する繋ぎトラス構造体とを矩形枠状に形成してなる、ことを特徴とする架台。
【請求項２】
請求項１記載の架台において、
上記長側トラス構造体を、上方に位置する上部梁材と、下方に位置する下部梁材と、上記上部梁材と下部梁材に亘って斜めに連結される複数の斜材と、上記上部梁材と下部梁材に亘って垂直に連結される複数の垂直材とで構成してなる、ことを特徴とする架台。
【請求項３】
請求項２記載の架台において、
上記上部梁材及び下部梁材を一対のアングル材にて形成し、上記斜材及び垂直材を、それぞれ断面中空パイプ部材にて形成すると共に、その長手方向両端に取付孔を穿設し、斜材及び垂直材の両端をそれぞれ一対のアングル材によって挟持すると共に、固定部材によって固定してなる、ことを特徴とする架台。
【請求項４】
請求項３記載の架台において、
上記斜材及び垂直材にカラーを貫通すると共に、カラーを一対のアングル材間に介在させ、固定部材を上記カラーに貫挿固定してなる、ことを特徴とする架台。
【請求項５】
請求項１ないし４のいずれかに記載の架台において、
上記長側トラス構造体を、短側トラス構造体に連結される端部トラス構造体と、連結トラス構造体とで構成し、端部トラス構造体と連結トラス構造体とを連結部材を介して連結・分解可能に形成してなる、ことを特徴とする架台。
【請求項６】
請求項１ないし５のいずれかに記載の架台において、
上記短側トラス構造体を複数形成し、短側トラス構造体をアンカーボルトによって設置台の上面に設置可能に形成してなる、ことを特徴とする架台。
【請求項７】
請求項１ないし５のいずれかに記載の架台において、
上記長側トラス構造体又は短側トラス構造体の端部側上部に、架台設置台の上面に設置可能な架台支持部材を延在してなる、ことを特徴とする架台。
【発明の詳細な説明】
【技術分野】
【０００１】
この発明は、函体を固定支持する架台に関するもので、更に詳細には、例えばビル等の建造物の屋上に設置する例えば電話中継基地用函体を固定支持する架台に関するものである。
【背景技術】
【０００２】
一般に、ビル等の建造物の屋上に函体を設置するには、建造物の屋上の梁上で重量を受けるように形成された架台上に函体が載置固定されている。
【０００３】
従来、この種の架台として、ビルの屋上に定着された基台上に固定され、上部に函体例えば空調機の室外機を設置する架台が知られている（例えば、特許文献１参照）。
【特許文献１】特開平９―４７８７号公報（特許請求の範囲、００１０、図１）
【発明の開示】
【発明が解決しようとする課題】
【０００４】
ところで、通常梁スパンは６〜８ｍ程度と大きいために、一般には、架台の剛性を考慮して鉄鋼製材を使用している。しかし、鉄鋼製材によって長尺構造体を構成すると、架台のサイズ及び重量が大きくなる。したがって、ビルの屋上に架台を設置する際は、クレーンなどを使用する必要があるので、運搬作業や設置作業に手間がかかるという問題があった。また、架台の軽量化を図るために鉄鋼製材の肉厚を薄くすることが考えられるが、これにおいては、架台に函体を載置した状態での架台の強度が低くなり、地震時などの振動により架台が変形し、函体の支持が不安定になる虞があった。
【０００５】
この発明は、上記事情に鑑みてなされたもので、架台の軽量化を図ると共に、構造強度を高め、かつ、設置場所への運搬や設置作業を容易にすることができる架台を提供することを目的とする。
【課題を解決するための手段】
【０００６】
上記課題を解決するために、請求項１記載の発明は、函体を固定支持するための架台であって、  複数のアルミニウム合金製形材を連結した複数のトラス構造体からなり、  対向する短側トラス構造体と、上記短側トラス構造体の端部同士を連結する長側トラス構造体と、対向する上記長側トラス構造体を連結する繋ぎトラス構造体とを矩形枠状に形成してなる、ことを特徴とする。
【０００７】
この発明において、上記長側トラス構造体を、上方に位置する上部梁材と、下方に位置する下部梁材と、上記上部梁材と下部梁材に亘って斜めに連結される複数の斜材と、上記上部梁材と下部梁材に亘って垂直に連結される複数の垂直材とで構成する方が好ましい（請求項２）。この場合、上記上部梁材及び下部梁材を一対のアングル材にて形成し、上記斜材及び垂直材を、それぞれ断面中空パイプ部材にて形成すると共に、その長手方向両端に取付孔を穿設し、斜材及び垂直材の両端をそれぞれ一対のアングル材によって挟持すると共に、固定部材によって固定する方が好ましい（請求項３）。この場合、上記斜材及び垂直材にカラーを貫通すると共に、カラーを一対のアングル材間に介在させ、固定部材を上記カラーに貫挿固定する方が好ましい（請求項４）。
【０００８】
また、この発明において、上記長側トラス構造体を、短側トラス構造体に連結される端部トラス構造体と、連結トラス構造体とで構成し、端部トラス構造体と連結トラス構造体とを連結部材を介して連結・分解可能に形成してなる、ことを特徴とする（請求項５）。この場合、上記短側トラス構造体を複数形成し、短側トラス構造体をアンカーボルトによって設置台の上面に設置可能に形成する方が好ましい（請求項６）。なお、この場合、上記長側トラス構造体又は短側トラス構造体の端部側上部に、架台設置台の上面に設置可能な架台支持部材を延在してもよい（請求項７）。
【発明の効果】
【０００９】
（１）請求項１記載の発明によれば、複数のアルミニウム合金製形材を連結した複数のトラス構造体によって矩形枠状の架台を構成するので、架台の軽量化を図ることができると共に、強度の向上を図ることができる。
【００１０】
（２）請求項２記載の発明によれば、長側トラス構造体の上部梁材と下部梁材とに亘って複数の斜材と複数の垂直材を設けることによって、上記（１）に加えて更に、架台の強度の向上を図ることができる。
【００１１】
（３）請求項３記載の発明によれば、斜材及び垂直材を断面中空パイプ部材にて形成することによって、上記（１）、（２）に加えて更に、架台の軽量化を図ることができる。
【００１２】
また、上部梁材及び下部梁材を一対のアングル材にて形成し、斜材及び垂直材の両端をそれぞれ一対のアングル材によって挟持すると共に、固定部材によって固定することができるので、上記（１）、（２）に加えて更に、架台の強度の向上を図ることができる。この場合、斜材及び垂直材にカラーを貫通すると共に、カラーを一対のアングル材間に介在させ、固定部材をカラーに貫挿固定することにより、固定部材による固定の際に中空パイプ部材からなる斜材及び垂直材が潰れたり変形するのを防止することができる。したがって、堅牢な架台とすることができる（請求項４）。
【００１３】
（４）請求項５記載の発明によれば、長側トラス構造体を、短側トラス構造体に連結される端部トラス構造体と、連結トラス構造体とで構成し、端部トラス構造体と連結トラス構造体とを連結部材を介して連結・分解可能に形成することによって、架台を分解した状態で屋上に搬送することができ、屋上で組み立てることができるので、上記（１）〜（３）に加えて更に、架台の運搬作業を容易にすることができる。
【００１４】
（５）請求項６記載の発明によれば、複数の短側トラス構造体をアンカーボルトによって設置台の上面に設置することで、上記（１）〜（４）に加えて更に、架台の固定を確実にすることができる。
【００１５】
（６）請求項７記載の発明によれば、長側トラス構造体又は短側トラス構造体の端部側上部に架台支持部材を延在することによって、架台の設置高さを低くすることができるので、上記（１）〜（４）に加えて更に、架台の安定性の向上を図ることができる。
【発明を実施するための最良の形態】
【００１６】
以下に、この発明の実施形態を添付図面に基づいて詳細に説明する。
【００１７】
なお、以下の説明では、架台をビルの屋上に設置される電話中継基地を載置する場合について説明する。
【００１８】
＜第１実施形態＞
図１は、この発明に係る架台に電話中継基地用函体を設置した状態を示す概略斜視図、図２は、この発明に係る架台の第１実施形態を示す斜視図、図３は、この発明における架台の分解状態を示す側面図である。
【００１９】
上記架台１は、図１に示すように、ビルの屋上に設けられた架台設置台８の上面に、アンカーボルト８０によって固定され、上部に電話中継基地用函体９を図示しない連結ボルトによって載置固定している。
【００２０】
上記架台１は、図２に示すように、対向する複数（この場合４個）の短側トラス構造体２０と、短側トラス構造体２０の端部同士を連結する一対の長側トラス構造体３０と、対向する長側トラス構造体３０を連結する複数（この場合４個）の繋ぎトラス構造体５０とを固定部材であるボルト・ナット７によって矩形枠状に連結して構成されている。
【００２１】
上記短側トラス構造体２０は、長側トラス構造体３０の上部に連結される上部水平繋ぎ材２１と、長側トラス構造体３０の下部に連結されると共に、架台設置台８に連結されて架台１を支持する支持部材２２と、上部水平繋ぎ材２１と支持部材２２に亘って斜めに連結される複数（この場合６本）の支持点補強材２３とをボルト・ナット７によって連結している。この場合、上部水平繋ぎ材２１及び支持点補強材２３は、断面Ｌ字状のアルミニウム合金製押出形材によって形成されており、支持部材２２は、断面コ字状のアルミニウム合金製押出形材によって形成されている。
【００２２】
上記長側トラス構造体３０は、図２及び図３に示すように、短側トラス構造体２０に連結される端部トラス構造体３１と、対向する端部トラス構造体３１を連結する連結トラス構造体３２とを連結部材３９を介して連結及び分解可能に形成されている。
【００２３】
上記端部トラス構造体３１及び連結トラス構造体３２は、上方に位置する上部梁材３３と、下方に位置する下部梁材３４と、上部梁材３３と下部梁材３４に亘って斜めに連結される複数の斜材３５と、上部梁材３３と下部梁材３４に亘って垂直に連結される複数の垂直材３６とをボルト・ナット７によって連結して構成されている。この場合、上部梁材３３及び下部梁材３４は一対の断面Ｌ字状のアングル材３７にて形成されている。このアングル材３７は、アルミニウム合金製押出形材にて形成されている。また、斜材３５及び垂直材３６は、それぞれアルミニウム合金製押出形材にて形成される断面略矩形状の中空パイプ部材にて形成されており、その長手方向両端に取付孔３８が穿設されている（図５参照）。なお、斜材３５の端部は斜めに切断されている（図５（ｂ）参照）。また、アングル材３７は、上方に位置する水平片３７ｂと、この水平片３７ｂの一端に直角に折曲する垂直片３７ｃとからなり、垂直片３７ｃには、斜材３５及び垂直材３６との取付位置に取付孔３８に連通する連通孔３７ａが穿設されている。
【００２４】
上記端部トラス構造体３１及び連結トラス構造体３２は、斜材３５及び垂直材３６の両端の側面を、それぞれ一対のアングル材３７の垂直片３７ｃに当接した状態で挟持し、連通孔３７ａ及び取付孔３８を貫通する固定部材であるボルト・ナット７によって固定されている。この際、図５（ｂ）及び図６に示すように、斜材３５及び垂直材３６の中空部内には、丸鋼製のカラー９０が貫通されると共に、カラー９０が一対のアングル材３７間に介在され、そして、カラー９０に貫挿されるボルト・ナット７を締結することによって固定される。このようにカラー９０を用いることにより、斜材３５及び垂直材３６が潰れたり変形するのを防止することができ、架台１を堅牢にすることができる。
【００２５】
なお、端部トラス構造体３１の上部梁材３３は下部梁材３４より短く形成されており、連結トラス構造体３２の上部梁材３３は下部梁材３４より長く形成されている。
【００２６】
このように長側トラス構造体３０を、端部トラス構造体３１と連結トラス構造体３２とを連結部材３９を介して連結及び分解可能に形成することにより、架台１を分解した状態でビルの屋上に搬送することができ、屋上で組み立てることができるので、架台１の運搬作業及び設置作業を容易にすることができる。また、斜材３５及び垂直材３６をアルミニウム合金製押出形材の中空パイプ部材にて形成することにより、架台１の軽量化を図ることができる。更にまた、斜材３５及び垂直材３６の両端をそれぞれ一対のアングル材３７によって挟持し、連通孔３７ａ及び取付孔３８を貫通するボルト・ナット７によって固定することにより、トラス構造体の強度が高くなるので、耐振性の向上を図ることができる。更には、一対のアングル材３７の水平片３７ｂによって函体９の載置面を形成することができるので、函体９の載置を安定化することができる。
【００２７】
一方、上記繋ぎトラス構造体５０は、図３及び図４に示すように、対向する長側トラス構造体３０（端部トラス構造体３１）の下部梁材３４に連結される下部水平繋ぎ材５１と、この下部水平繋ぎ材５１と長側トラス構造体３０の上部梁材３３とに亘って斜めに連結される補強材５２とをボルト・ナット７で連結して形成されている。この場合、上部梁材３３と補強材５２とは、図示しない取付部材を介して連結されている。なお、この場合、下部水平繋ぎ材５１及び補強材５２は、断面Ｌ字状のアルミニウム合金製押出形材にて形成されている。
【００２８】
このように構成することにより、対向する長側トラス構造体３０（端部トラス構造体３１）に亘って繋ぎトラス構造体５０を連結することで、架台１の短軸方向に加わる振動及び応力に対して、架台１を補強することができる。
【００２９】
上記のように構成された短側トラス構造体２０と端部トラス構造体３１及び繋ぎトラス構造体５０を、図３及び図４に示すように、端部トラス構造体３１の一端すなわち屋上の架台設置台８への固定側の端部及びその近傍に短側トラス構造体２０を連結し、他端側及び略中央付近に繋ぎトラス構造体５０を連結することによって架台１の端部体４０を構成する。
【００３０】
そして、端部体４０の端部トラス構造体３１と連結トラス構造体３２とを、それぞれの上部梁材３３同士及び下部梁材３４同士を連結部材３９を介してボルト・ナット７Ａで連結することによって、架台１を組み立てることができる。なお、この場合、連結部材３９は、断面Ｌ字状のアルミニウム合金製押出形材にて形成されている。
【００３１】
上記のように形成される架台１をビルの屋上に設置する手順について説明する。まず、予め工場で組み立てられた短側トラス構造体２０、端部トラス構造体３１、連結トラス構造体３２、繋ぎトラス構造体５０及びその他の部品を、エレベータ又は階段を利用して屋上まで搬送する。
【００３２】
次に、ビルの屋上にて、一対の端部トラス構造体３１の固定側端部と端部付近の２箇所に短側トラス構造体２０を連結し、他端側部と略中央部付近の２箇所に繋ぎトラス構造体５０を連結して、架台１を構成する一方の端部体４０を組み立てる。同様にして他方の端部体４０を組み立てる。
【００３３】
次に、一対の端部体４０の間に、連結トラス構造体３２を配置して、端部トラス構造体３１と連結トラス構造体３２のそれぞれの上部梁材３３同士及び下部梁材３４同士を連結部材３９を介して連結し、架台１の組み立て作業が終了する。なお、長側トラス構造体３０を組み立てた後に、端部トラス構造体３１に繋ぎトラス構造体５０を連結すると共に、短側トラス構造体２０を連結してもよい。
【００３４】
このように組み立てられた架台１の短側トラス構造体２０を架台設置台８に載せて、予め架台設置台８に埋設されたアンカーボルト８０と短側トラス構造体２０の支持部材２２とを連結することによって、架台１を架台設置台８に固定することができる。
【００３５】
そして、このように組み立てられて架台設置台８に固定された架台１の上部に、電話中継基地用函体９を固定することによって、電話中継基地用函体９をビルの屋上に設置することができる（図１参照）。
【００３６】
＜第２実施形態＞
次に、この発明の第２実施形態を、図８及び図９に基いて説明する。図８は、この発明に係る架台の第２実施形態を示す斜視図、図９は、この発明に係る架台の固定状態を示す拡大斜視図である。
【００３７】
第２実施形態は、架台１Ａの設置高さを低くして、安定性の向上を図れるようにした場合である。
【００３８】
第２実施形態において、架台１Ａは、図８に示すように、対向する複数（この場合２個）の短側トラス構造体２０Ａと、短側トラス構造体２０Ａの端部同士を連結する一対の長側トラス構造体３０Ａと、対向する長側トラス構造体３０Ａを連結する複数（この場合２個）の繋ぎトラス構造体５０と、長側トラス構造体３０Ａの端部に連結される架台支持部材６０とをボルト・ナット７によって矩形枠状に連結して構成されている。
【００３９】
上記架台支持部材６０は、図９及び図１０に示すように、一対の断面コ字状のアルミニウム合金製形材によって形成されており、一端が長側トラス構造体３０Ａの下部梁材３４に沿って延在し連結される連結部６１と、この連結部６１から上部外方に向かって折曲する折曲部６２と、この折曲部６２から長側トラス構造体３０の上部梁材３３に沿って折曲して延在する固定部６３とでクランク状に形成されている。この場合、架台支持部材６０は、対向して端部トラス構造体３１Ａの上部梁材３３及び下部梁材３４を形成するアングル材３７の垂直片３７ｃに連結される連結片６０ａと、この連結片６０ａの両端から直角に折曲されてアングル材３７の水平片３７ｂ又は架台設置台８の上面に固定される水平片６０ｂとで形成されている。なお、この場合、連結部６１と折曲部６２及び折曲部６２と固定部６３とは、例えば溶接によって接合されて形成されている。
【００４０】
このように形成された架台支持部材６０は、連結部６１及び固定部６３の連結片６０ａによって、それぞれ上部梁材３３と下部梁材３４のアングル材３７の垂直片３７ｃを挟持すると共に、連結部６１及び固定部６３の一方の水平片６０ｂを、それぞれ上部梁材３３と下部梁材３４のアングル材３７の水平片３７ｂに当接させた状態で、ボルト・ナット７Ｂによって固定される。この場合、上部梁材３３の端部すなわち架台支持部材６０の固定部６３の取付位置には、一対のアングル材３７の垂直片３７ｃ間にスペーサ６４が介在されている。なお、スペーサ６４は、斜材３５及び垂直材３６と同一の断面形状を有するアルミニウム合金製押出形材の中空パイプ部材にて形成されている。また、スペーサ６４の中空部内には、丸鋼製のカラー９０が貫通されると共に、カラー９０が一対のアングル材３７間に介在され、そして、カラー９０に貫挿されるボルト・ナット７を締結することによって固定される（図１０（ｂ）参照）。このようにカラー９０を用いることにより、スペーサ６４が潰れたり変形するのを防止することができ、架台１を堅牢にすることができる。
【００４１】
このように形成された架台支持部材６０は、固定部６３の水平片６０ｂを架台設置台８の上面に設置して、アンカーボルト８０によって固定されるので、架台１Ａとビルの屋上との高さを低くすることができ、架台１Ａの安定性の向上を図ることができる。また、架台１Ａの上部に設置された電話中継基地用函体９の操作を容易に行うことができる。
【００４２】
第２実施形態において、短側トラス構造体２０Ａは、長側トラス構造体３０Ａの上部に連結される上部水平繋ぎ材２１と、長側トラス構造体３０Ａの下部に連結される下部水平繋ぎ材５１と、上部水平繋ぎ材２１と下部水平繋ぎ材５１に亘って斜めに連結される複数（この場合４本）の支持点補強材２３とをボルト・ナット７によって連結している。
【００４３】
また、上記端部トラス構造体３１Ａは、上部梁材３３が下部梁材３４より長く形成されており、下部梁材３４の端部に短側トラス構造体２０Ａの下部水平繋ぎ材５１が連結されている。
【００４４】
上記のように形成された短側トラス構造体２０Ａと端部トラス構造体３１Ａ及び繋ぎトラス構造体５０を、図８に示すように、端部トラス構造体３１Ａの一端すなわち屋上の架台設置台８への固定側の端部に短側トラス構造体２０Ａを連結し、他端部に繋ぎトラス構造体５０を連結することによって架台１の端部体４０Ａを構成する。
【００４５】
第２実施形態において、その他の部分は上記第１実施形態と同じに形成されているので、同一部分には同一符号を付して説明は省略する。
【００４６】
なお、上記第２実施形態においては、長側トラス構造体３０Ａの端部に架台支持部材６０を延在する場合について説明したが、短側トラス構造体２０Ａの端部に同様に架台支持部材６０を延在してもよい。
【図面の簡単な説明】
【００４７】
【図１】この発明に係る架台の使用状態を示す概略斜視図である。
【図２】この発明に係る架台の第１実施形態を示す斜視図である。
【図３】上記架台の分割状態を示す分解側面図である。
【図４】上記架台の端部体を示す拡大斜視図である。
【図５】上記架台の連結トラス構造体を示す拡大斜視図（ａ）及び（ａ）の連結構造を示す分解斜視図（ｂ）である。
【図６】この発明における長側トラス構造体を構成するアングル材と斜材及び垂直材の固定状態を示す拡大断面図である。
【図７】上記架台の端部材と中央部材との連結部を示す拡大斜視図である。
【図８】この発明に係る架台の第２実施形態を示す斜視図である。
【図９】上記架台の架台支持部材を示す拡大斜視図である。
【図１０】上記架台の連結状態を示す拡大側面図（ａ）及び（ａ）のＩ−Ｉ線に沿う拡大断面図（ｂ）である。
【符号の説明】
【００４８】
１，１Ａ  架台
７  ボルト・ナット（固定部材）
８  架台設置台
２０，２０Ａ  短側トラス構造体
３０，３０Ａ  長側トラス構造体
３１，３１Ａ  端部トラス構造体
３２  連結トラス構造体
３３  上部梁材
３４  下部梁材
３５  斜材
３６  垂直材
３７  アングル材
３８  取付孔
３９  連結部材
５０  繋ぎトラス構造体
６０  架台支持部材
８０  アンカーボルト
９０  カラー
【図１】
2007064344.tif 000003
【図２】
2007064344.tif 000004
【図３】
2007064344.tif 000005
【図４】
2007064344.tif 000006
【図５】
2007064344.tif 000007
【図６】
2007064344.tif 000008
【図７】
2007064344.tif 000009
【図８】
2007064344.tif 000010
【図９】
2007064344.tif 000011
【図１０】
2007064344.tif 000012